(57)【要約】　　　（修正有）【目的】家庭から排泄され集積場に集められた生ゴミが、カラスに食い散らかされるのを防ぐために使用するネットついて、集積したゴミ袋にネットを被せるのではなく、ネットの形状に改良を加えバスケット方式にして、ゴミ袋をバスケットの中にスベリ込ませる方法で利便性を向上させる。更に、バスケットを利用する人には使いやすく、ゴミを回収する業に携わる人には、スムーズに回収出来ることを目的とする。【構成】バスケット１の入口には、円形の蓋５を取り付けます、蓋を形成する円形の輪の材質には柔らかく弾力性のあるプラスチックを用いて布を張ります、布には開閉のためのファスナー４を設けて鳥獣の侵入を防ぎます、ファスナーは解放されても布がピーンと張った状態では、口は思うように開きませんが、ゴミ袋７を乗せて円形の輪を持ち上げると、ゴミの重みで蓋５がＵの字に曲がり、ファスナーの口が大きく開きゴミ袋は、バスケットの中に入ります。【選択図】　　図７
0003098712.tif 000002
【実用新案登録請求の範囲】
【請求項１】
バスケット（１）底から、ゴミ袋（７）を簡単に回収するために、バスケット（１）の裾の部分に設けた、重しの役目をするパイプ（３）にゴム紐（２）を通して，パイプを輪状に連結した鳥獣よけバスケット。
【請求項２】
バスケット（１）の上部の入口（６）に設ける、布張の蓋（５）において，開閉するためのファスナー（４）を設けた鳥獣よけバスケット。
【考案の詳細な説明】
【０００１】
【産業上の利用分野】
家庭から排出される生ゴミは、定められた収集日に出しますが、これをカラスに食い散かされ、その後始末に大変な思いをする事があります、その様な被害を防ぐために色々な取組がなされていますが、これと言った良い方法が無いのが実態です、本考案は集積された生ゴミが鳥獣に食い散かされるのを防止すると共に、集積されたゴミ袋が道を占拠して歩行や自転車の走行に障害を来す事のないように、ゴミ袋を効率良く集積します、又、誰もが使いやすく、さらに、ゴミを回収する業者にも余計な苦労をさせないで、スムーズに作業を進めて行く事が出来るゴミ飛散防止用具を目的にしています。
【０００２】
【従来の方法】
従来では集積された生ゴミが鳥獣に食い散かされるのを防ぐために、ゴミ集積ボックスの設置やネットを被せる等の対策が取られていました。しかし、集積ボックスでは常にボックスの周囲にゴミが散らばり不衛生となり、回収する業者も大変苦労します、最近ではゴミの分別も複雑になっており、益々回収作業が大変なことから、ゴミ集積ボックスを撤去する町村が増えています、又、集積したゴミ袋にネットを被せる方法では、その都度ネットを被せたり剥したりしなければなりません、さらに、ゴミ集積に要する面積がゴミの量に比例して広くなり、歩行や自転車の走行に障害を来す事がありました。
【０００３】
【考案が解決しようとする課題】
考案が解決しようとする課題を整理すると次の４項目にまとめることができる。
【０００４】
▲１▼鳥獣のいたずらを防ぐためにネットでゴミ袋を覆う方法においては、その都度ごとにネットをまくり上げ、又、覆う等の煩わしさがありました。
【０００５】
▲２▼ゴミの量が増大すると、より大きなネットが必要となり、合わせて集積面積も広くなり歩道をふさいだり、交通の障害を来したので、少ない面積でゴミ袋を集積したい。
【０００６】
▲３▼従来のネットでは掛け損じると、ネットの裾からゴミ袋がはみ出す事があり、その部分から鳥獣がゴミ袋を引き出して食い散かすため、せっかくのネットがその用をはたさないことがあった。
【０００７】
▲４▼近年ゴミの分別がより複雑になり、回収する業者の負担が大きくなっています、従来のネットでは掛け剥がしや後片付けで、回収業者に余計な労力をかけさせていた。
【０００８】
【課題を解決するための手段】
上記の目的を達成する為に，本考案の鳥獣よけバスケット（１）は、図３で示すように布張の円形の蓋（５）に、開閉するためのファスナー（４）を設けました、しかし、ファスナー（４）は、解放しても布がピーンと張った状態ではゴミ袋（７）をバスケットの中に落とし込む事が難しいので、蓋（５）を形成する円形の輪の材質を、柔らかく弾力性に富んだプラスチックを使用しました。この事により利用者がファスナー（４）を解放して、蓋（５）にゴミ袋（７）をのせて円形の輪を持ち上げると、ゴミの重みで蓋（５）がＵの字に曲がりファスナー（４）は大きく口を開け、ゴミ袋（７）はバスケット（１）の中に簡単にスベリ込みます、又、バスケット（１）の裾の部分には、図２で示すようにゴム紐（２）を通して連結したパイプ（３）を設けて重しとすることにより、底のないバスケット（１）からゴミ袋（７）が外にはみ出すことがありません。
【０００９】
【考案の実施の形態】
本考案の鳥獣よけバスケットの使用方法は，ゴミ回収日に合わせて、図５で示すように地面に置きます、利用者はファスナー（４）を解放してから、蓋（５）の上にゴミ袋（７）を乗せて、円形の蓋（５）の輪の部分を持ち上げます、ゴミの重みで蓋（５）がＵの字に曲がりますので、ファスナー（５）の口が大きく開きゴミ袋（７）は、スルリとくぐり抜けて、図６に示すようにバスケットの中に入ります、この様にしてゴミ袋（７）は次々に入れられます、やがてバスケットはゴミ袋（７）で一杯になって膨らみますが、ゴミ集積に要する面積は殆ど変りません、又、バスケットには底がありませんのでゴミ袋（７）が外にはみ出す心配がありますが、バスケット（１）の裾の部分に設けられたパイプ（３）が、内側よりゴミ袋で次々と押さえ付けられて行きますので、ゴミ袋がバスケット（１）の底からはみ出すことはありません、生ゴミがカラスに引っ張り出されたり、ゴミ袋が風で飛散することは完璧に防ぐ事ができるのです。
生ゴミは、やがて回収業者の手で取り出されますが、この時に、重しの役目をするパイプ（３）に通したゴム紐（２）が伸縮しますので、裾の部分を軽くまくり上げる事により、ゴミ袋を簡単にバスケットの中から取り出すことができます。
【００１０】
【考案の効果】
本考案は上述の通り構成されているので次ぎに記載する効果を奏する。
【００１１】
▲１▼ゴミ集積場のスペースが節約できるので交通の妨げを抑える事ができる。
【００１２】
▲２▼利用者はファスナー（４）を解放してゴミ袋を簡単にバスケットの中にスベリ込ませる事ができるので、その都度ごとにネットを剥がしたり、覆う等の煩わしさから解放されます。
【００１３】
▲３▼バスケットの中に集積されたゴミ袋（７）が次々と、バスケットの裾の部分に設けたパイプ（３）を内側から押さえ付けますので、ゴミ袋がバスケットの底からはみ出る事も、外から鳥獣に引ずり出されることもありません。
【００１４】
▲４▼ゴミを回収する業者が、バスケット（１）の裾を軽くまくり上げる事により、楽にゴミ袋（７）をバスケットの中から回収することが出来る。
【図面の簡単な説明】
【図１】バスケット（１）の斜視図
【図２】ゴム紐（２）を通したパイプ（３）の斜視図
【図３】蓋（５）の正面図
【図４】円形の蓋（５）を設けたバスケットの斜視図
【図５】ゴミ集積場に鳥獣よけバスケットを設置した様をしめす斜視図
【図６】ゴミ袋（７）がバスケットの中に入った様をしめす斜視図
【図７】ゴミ袋（７）がバスケットの中で満杯になった様をしめす斜視図
【符号の説明】
１　バスケット
２　ゴム紐
３　パイプ
４　ファスナー
５　蓋
６　入口
７　ゴミ袋
【図１】
0003098712.tif 000003
【図２】
0003098712.tif 000004
【図３】
0003098712.tif 000005
【図４】
0003098712.tif 000006
【図５】
0003098712.tif 000007
【図６】
0003098712.tif 000008
【図７】
0003098712.tif 000009